(57)【要約】【課題】可とう性を持った面状光源を用いた照明器具において、発光面に傷が付き難いものとする。【解決手段】可とう性を有する面状光源１１を備えた面状型照明器具１０は、面状光源１１の発光面１１１又は非発光面１１２の少なくとも一方の面にスペーサ部３１を備える。このスペーサ部３１は、面状光源１１を巻き回したときに、互いに対面する発光面１１１と非発光面１１２との間に隙間を形成させる。これにより、発光面１１１と非発光面１１２とが接触せず、発光面１１１に傷が付き難くなる。【選択図】図１
2009283200.tif 000002
【特許請求の範囲】
【請求項１】
可とう性を有する面状光源を備えた面状型照明器具において、
前記面状光源の発光面又は非発光面の少なくとも一方の面に設けられて、面状光源を巻き回したときに、互いに対面する面状光源の発光面と非発光面との間に隙間を形成させるスペーサ部を設けたことを特徴とする面状型照明器具。
【請求項２】
前記面状光源の発光面の表面硬度が非発光面のそれよりも高いことを特徴とする請求項１に記載の面状型照明器具。
【請求項３】
前記面状光源の発光面の表面に弾性材料を塗布したことを特徴とする請求項１に記載の面状型照明器具。
【請求項４】
前記面状光源を巻き回す軸部と、前記軸部に巻き回すことで前記面状光源を収容する筐体と、をさらに備え、
前記面状光源の引き出し及び取り込みに供せられる筐体入り口にごみ除去部を設けたことを特徴とする請求項１に記載の面状型照明器具。
【発明の詳細な説明】
【技術分野】
【０００１】
本発明は、面状光源を備えた可搬性の面状型照明器具に関する。
【背景技術】
【０００２】
従来から、有機ＥＬやＬＥＤフィルム等の可とう性を有する面状光源を用いた照明器具において、その可とう性を活かして、未使用時は面状光源を巻き取って収納できる照明器具が知られている（例えば、特許文献１参照）。
【０００３】
このような照明器具は、ロールカーテン分野から派生したものである。ロールカーテン分野から派生したものとして、太陽電池を屋外で使用する際の収納方法が知られている（例えば、特許文献２参照）。太陽電池を巻き取って収納することで、収納性・防塵性を改善している。
【０００４】
ロールカーテン分野においては、ロールカーテンの巻き取り回転軸に段差状のエッジを設け、段差状のエッジに対応するように形状を変化させたロールカーテンのシート面をそのエッジに沿わせて巻き取ることで、シート面に傷が付くことを防ぐ技術が開示されている（例えば、特許文献３参照）。しかしながら、照明器具においては、面の形状が照明の配光に直接影響するため、発光面の幅を引き出し長さに従って変化させることは困難である。
【０００５】
さらに、ロールカーテンのシート面の一部に異なる張力部材を使用し、巻き取り時にシート面が蛇行することを防ぐ技術が開示されている（例えば、特許文献４参照）。しかしながら、照明器具においては、蛇行を防げても発光面に傷が付くのを防ぐことはできず、結果として配光の変化、及び照明器具効率の低下に繋がり、照明の質を著しく低下させる。
【特許文献１】特開２００１−１００６６１号公報
【特許文献２】特開平１０−１１７６２９号公報
【特許文献３】特開２００４−３２４３３６号公報
【特許文献４】特開２００６−１３８１５２号公報
【発明の開示】
【発明が解決しようとする課題】
【０００６】
本発明は、上記問題を解決するためになされたものであり、可とう性を有する面状光源を備えた面状型照明器具において、発光面への傷付きを防止することを目的とする。
【課題を解決するための手段】
【０００７】
上記目的を達成するために請求項１の発明は、可とう性を有する面状光源を備えた面状型照明器具において、前記面状光源の発光面又は非発光面の少なくとも一方の面に設けられて、面状光源を巻き回したときに、互いに対面する面状光源の発光面と非発光面との間に隙間を形成させるスペーサ部を設けたものである。
【０００８】
請求項２に記載の発明は、請求項１に記載の面状型照明器具において、前記面状光源の発光面の表面硬度が非発光面のそれよりも高いものである。
【０００９】
請求項３に記載の発明は、請求項１に記載の面状型照明器具において、前記面状光源の発光面の表面に弾性材料を塗布したものである。
【００１０】
請求項４に記載の発明は、請求項１に記載の面状型照明器具において、前記面状光源を巻き回す軸部と、前記軸部に巻き回すことで前記面状光源を収容する筐体と、をさらに備え、前記面状光源の引き出し及び取り込みに供せられる筐体入り口にごみ除去部を設けたものである。
【発明の効果】
【００１１】
請求項１に記載の発明によれば、互いに対面する面状光源の発光面と非発光面との間に形成された隙間により、面状光源を巻き回したときに発光面と非発光面とが接触せず、発光面に傷が付き難くなる。
【００１２】
請求項２に記載の発明によれば、非発光面の表面硬度が発光面のそれよりも高いことにより、面状光源を巻き回したときに発光面と非発光面とが接触したとしても、発光面に傷が付き難くなる。
【００１３】
請求項３に記載の発明によれば、面状光源を巻き回したときに、発光面と非発光面が接触したとしても、発光面に塗布された弾性材料が凹んだ後、弾力性によって弾性材料は復元することにより、発光面に傷が付き難くなる。
【００１４】
請求項４に記載の発明によれば、面状光源を巻き回したときに、発光面の傷を誘引する面状光源のごみを、ごみ除去部が除去することにより、発光面に傷が付き難くなる。
【発明を実施するための最良の形態】
【００１５】
（第１の実施形態）
以下、本発明の第１の実施形態に係る面状型照明器具（以下、照明器具という）について図１乃至図５を参照して説明する。本実施形態の照明器具１０は、図１に示されるように、可とう性を有する面状光源１１と、面状光源１１を吊り下げて支持する支持部１２と、面状光源１１を巻き回す軸部１３と、面状光源１１に電源を供給する回路部１４と、面状光源１１などを収納する筐体１５と、電源を供給するための電源コード１６とを備える。面状光源１１は、発光する発光面１１１と、発光面１１１の裏面にある非発光面１１２と、発光面１１１の外縁に沿って設けられたスペーサ部３１とを備える。
【００１６】
支持部１２は、例えば、筐体１５に立設され、ラジオアンテナのように軸稼働により伸縮する棒材から成る。また、支持部１２は、筐体１５と面状光源１１背面部との間に折り畳み可能に設けられたフレームから成り、面状光源１１を引き出した際に、フレームが伸びた状態となって、プロジェクタ用スクリーンのように面状光源１１を支持してもよい。軸部１３が回転されることで、面状光源１１は軸部１３に巻きつけられ収納される。軸部１３を巻取るための動力には、例えば、電気コードや巻尺に使用されている渦巻き型コイルを用いることができる。面状光源１１に通電される電力は、外部電源、又は筐体１５に内在する電池から供給され、回路部１４によって変圧などが行われる。なお、面状光源１１の点灯・消灯は、回路部１４に接続され、筐体１５外面に設けられたスイッチ（不図示）が用いられる。
【００１７】
面状光源１１は、厚さが数ｍｍ程度と薄く、可とう性を有するため、曲げて使用することができ、図２に示されるように、発光部のみを並べた可とう性を有するＬＥＤ素子２１と、このＬＥＤ素子２１を挟む２枚の光学シート２２と、光学シート２２上に印刷され、ＬＥＤ素子２１に給電するための導線２３とから構成されている。この２枚の光学シート２２の一方は、透明なシートであり、もう一方は、反射特性を有するシートである。光学シート２２はＬＥＤ素子２１の封止材として機能し、ＬＥＤ素子２１が空気接触によって劣化することを防ぐ。光学シート２２上には、導線２３の他に給電端となる電極などが印刷される。
【００１８】
面状光源１１は、上記のＬＥＤ素子２１に代えて、可とう性を有する有機ＥＬを用いてもよい。なお、通常のＬＥＤ素子は、球形封止材等によって厚みを持っているが、本実施形態で用いるＬＥＤ素子２１は、薄型のものを用いる必要がある。
【００１９】
面状光源１１の発光面１１１の表面硬度は、非発光面１１２のそれよりも高いことが好ましい。表面硬度が高い発光面１１１が、高い耐擦傷性を有することで、面状光源１１を筐体１５に取り込んだときに、発光面１１１と非発光面１１２が接触した場合でも、発光面１１１は傷が付き難くなる。
【００２０】
非発光面１１２を光源保護材で覆うことでも、発光面１１１の表面硬度を非発光面１１２のそれよりも高くすることができる。光源保護材としては、布地、スポンジ、エアバッグ等が好ましい。面状光源１１を筐体１５に取り込んだときに、発光面１１１は、非発光面１１２ではなく光源保護材と接触するため、傷が付き難くなる。
【００２１】
発光面１１１の表面硬度を非発光面１１２のそれよりも高くする他に、発光面１１１に弾力性に富んだ塗膜を設けることによって、発光面１１１に傷が付き難いようにすることもできる。塗膜の材料は、ポリシロキサン系樹脂にポリカプロラクトンを導入した組成物、又はアクリル系樹脂に長側鎖ヒドロキシル基とポリカプロラクトンを導入した組成物等が好ましい。面状光源１１を筐体１５に取り込んだときに、発光面１１１が非発光面１１２と接触した場合、発光面１１１に設けられた塗膜は、いったん凹んだ後に、弾力性によって元の状態に復元する。
【００２２】
スペーサ部３１は、図３に示されるように、矩形である面状光源１１の４辺に沿って設置される。スペーサ部３１は、面状光源１１の引き出し及び取り込み方向に沿って設置されていればよく、例えば、面状光源１１の略中央に設置されていてもよい。また、スペーサ部３１は、短くカットされ、断続的に面状光源１１の引き出し及び取り込み方向に沿って面状光源１１に設置されてもよい。スペーサ部３１は、面状光源１１の光学シート２２の材料と同様の可とう性を有する材料、例えば、アクリル樹脂、又はシリコン樹脂などの材料を用いることが好ましい。
【００２３】
スペーサ部３１の断面形状は、図４（ａ）に示されるように、矩形であり、面状光源１１の発光面１１１とスペーサ部３１との間に段差ができるように設置されている。スペーサ部３１は、巻き回したときに互いに対面する発光面１１１と非発光面１１２との間に隙間が形成される程度の高さを有していれば任意の形状でよい。この任意の形状としては、例えば、図４（ｂ）に示されるように、スペーサ部３２の矩形の上辺が円弧状に凸になっている断面形状や、図４（ｃ）に示されるように、スペーサ部３３の矩形の上辺が山形状に凸になっている断面形状などが挙げられる。さらに、スペーサ部３１は、発光面１１１側の光学シート２２と一体に形成されてもよい。
【００２４】
また、面状光源１１への設置位置は、図４（ｄ）に示されるように、スペーサ部３４を非発光面１１２との間に段差ができるように設置してもよいし、図４（ｅ）に示されるように、スペーサ部３５を発光面１１１、及び非発光面１１２の両方の面との間に段差ができるように設置してもよい。
【００２５】
本実施形態の照明器具１０は、上記のとおりの構成であるので、図５（ａ）に示されるように、面状光源１１を引き出した状態から、面状光源１１を軸部１３に巻き回すことで、図５（ｂ）に示されるように、面状光源１１を筐体１５に収納した状態になる。スペーサ部３１は、図５（ｃ）に示されるように、面状光源１１の発光面１１１と互いに対面する非発光面１１２との間に隙間３６を形成させる。この隙間３６が、発光面１１１と非発光面１１２とを接触させないため、発光面１１１は傷が付き難い。
【００２６】
この照明器具１０は、従来のデスクスタンドと同程度の形状寸法であり、従来のデスクスタンドと比較して、面状光源１１を展開して任意に配光を変化させることができる。また、この照明器具１０は、面状光源１１を収納することにより容易に持ち運びができる。そして、照明器具１０を持ち運びした際に、何かにぶつける等して外部から照明器具１０に圧力がかかったとき、スペーサ部３１により形成された隙間３６によって、発光面１１１は傷が付き難い。よって、照明器具１０は、配光の変化、及び照明器具効率の低下を防止できるため、照明の質を維持することができる。
【００２７】
（第２の実施形態）
以下、本発明の第２の実施形態に係る照明器具について図６（ａ）（ｂ）を参照して説明する。本実施形態の照明器具４０は、第１の実施形態の照明器具１０とほぼ同一の構造であり、筐体入り口４１の構成のみが異なるので、筐体入り口４１について説明し、その他の部分については説明を省略する。
【００２８】
筐体入り口４１は、照明器具４０の面状光源１１の引き出し及び取り込みに供せられ、第１の実施形態とは異なり、ごみを除去するためのブラシ４２（ごみ除去部）を備える。ブラシ４２は、筐体１５と発光面１１１との間に隙間ができないように設置される。ブラシ４２の他にもごみ除去部として、面状光源１１と接触をしても発光面１１１を傷つけ難く、かつ、ごみを除去できる材料、例えば、フェルト等を用いることができる。
【００２９】
面状光源１１を軸部１３に巻き回したとき、ブラシ４２が発光面１１１に付着したごみを除去する。発光面１１１と非発光面１１２との隙間にごみが入り難くなるため、発光面１１１は傷が付き難い。ブラシ４２は、特に、照明器具４０を持ち運んで屋外で使用したときには、砂つぶ等のごみが発光面１１１に付着しやすいため、発光面１１１への傷付き防止に有効である。非発光面１１２に付着したごみを除去するために、ブラシ４２が、筐体１５と非発光面１１２との間にさらに設置されてもよい。
【００３０】
なお、本発明は、上記の実施形態の構成に限られず、発明の要旨を変更しない範囲で種々の変形が可能である。例えば、面状光源１１としては、上記のように平坦なシート状のものに替えて、複数のシート片が蛇腹状に折り返す形態のものであっても構わない。
【図面の簡単な説明】
【００３１】
【図１】本発明の第１の実施形態に係る面状型照明器具の外観図。
【図２】同器具に用いられる面状光源の斜視図。
【図３】図１のＡ部の拡大図。
【図４】（ａ）〜（ｅ）は同器具におけるスペーサ部の種々の変形例を示す断面図。
【図５】（ａ）は面状光源を引き出した状態の面状型照明器具の外観図、（ｂ）は同光源を取り込んだ状態の同器具の外観図、（ｃ）は（ｂ）のＢ−Ｂ線断面図。
【図６】（ａ）は本発明の第２の実施形態に係る面状型照明器具の外観図、（ｂ）は同器具の筐体入り口の平面図。
【符号の説明】
【００３２】
１０、４０  面状型照明器具
１１  面状光源
１１１  発光面
１１２  非発光面
１２  支持体
１３  軸部
１５  筐体
２１  ＬＥＤ素子
２２  光学シート
３１、３２、３３、３４、３５  スペーサ部
３６  隙間
４１  筐体入り口
４２  ブラシ
【図１】
2009283200.tif 000003
【図２】
2009283200.tif 000004
【図３】
2009283200.tif 000005
【図４】
2009283200.tif 000006
【図５】
2009283200.tif 000007
【図６】
2009283200.tif 000008